(57)【特許請求の範囲】
【請求項１】
文字やイラスト等が表示された表示部と、
前記表示部と折り線を介して隣接する貼付部と、を備え、
前記貼付部の片面側は粘着材が塗布された粘着部とされると共に、前記貼付部を少なくとも三つに区分するようにして当該貼付部の左右の両側面の所定箇所から前記折り線に至る長さの切込線がそれぞれ設けられ、前記切込線によって分離された前記貼付部の一部を前記折り線に沿って裏側へ折り曲げることによって前記表示部を起立させるための支持部を二箇所に形成したことを特徴とする起立手段を備えたラベル。
【請求項２】
請求項１に記載の起立手段を備えたラベルにおいて、
前記切込線は、前記貼付部の側縁部から幅方向に略三等分するような長さでＬ字形又は逆Ｌ字形に設けられていることを特徴とする起立手段を備えたラベル。
【請求項３】
請求項１又は２に記載の起立手段を備えたラベルにおいて、
前記ラベルは、複数枚を台紙に剥離可能に貼着したことを特徴とする起立手段を備えたラベル。
【請求項４】
請求項１から３のいずれか１項に記載の起立手段を備えたラベルの前記表示部の頂部同士を連結することによって一体化したことを特徴とする起立手段を備えたラベル。
【発明の詳細な説明】
【技術分野】
【０００１】
本発明は、商品に貼付した際に表示部を起立させる起立手段を備えたラベルに関し、さらに詳しくは、店舗等で販売される個々の商品に添付されて当該商品を消費者にアピールすることが可能な起立手段を備えたラベルに関する。
【背景技術】
【０００２】
店舗等で販売される商品に対し、新商品等の特定の商品の効能等を来店した消費者にアピールし或いは特売のキャンペーン等を消費者に効果的にアピールするため、アピールしたい商品に立体的なラベルを貼付することが一般に行われている。例えば、特許文献１に示される立体ラベルは、シートに対しその一部を折り曲げ可能にして所望の形状の切込線を入れるとともに、一部に粘着剤を貼付し、そして、切込線部分を起立させ、これを商品の側面の肩部分に貼付することでラベルを商品から飛び出させて消費者の注目を引こうというものである。
【０００３】
また、特許文献２に示される表示札（ラベル）は、時計バンドに巻き付けられた帯状の巻付部に対して板状の表示部をほぼ垂直に立設し、このラベルの巻付部の周縁部の近傍に凸状の切込線を入れて舌片を形成し、この舌片を背部へ折り曲げて支えにすることでラベルが立ち位置を保持できるようにしている。
【０００４】
また、特許文献３に示される起き上がりラベルは、円板形状等のシート本体の一部に糊付け部を設け、この糊付け部の近傍に半円形の切込線を入れ、糊付け部及び支持部を反対方向に折り曲げることでシート本体（表示面）を起立状態に保持できるようにしている。
【０００５】
さらに、特許文献４に示されるタックラベル付容器においては、タックラベルはフィルム基材の裏面に透明な粘着剤層及びこれを被覆する離型性のシート材が順次積層され、シート材の粘着膜側には金属蒸着膜が設けられ、その表面は粘着剤層を剥離できるように離型性を有し、且つ粘着剤層の一部を露出可能にする切込線がシート材に形成されており、切込線を境にしてシート材の一部を剥離して粘着剤層の一部を露出させ、その露出した粘着剤層部分（剥離部分）を容器の胴部に貼付するようになっている。
【先行技術文献】
【特許文献】
【０００６】
【特許文献１】特開２００４−１１７６３８号公報
【特許文献２】特開２００５−１７６７１号公報
【特許文献３】特開２００７−１７７２５号公報
【特許文献４】特許第４２５５０３７号
【発明の概要】
【発明が解決しようとする課題】
【０００７】
しかしながら、上述した特許文献１に示されるラベルにあっては、商品に貼付する基部シートの面積自体は変わらないので、例えば、ペットボトル飲料のキャップ上面のように、その面積（貼付可能面積）が狭い商品に対しては貼付することができないという問題がある。
【０００８】
また、特許文献２及び３に示されるラベルにあっては、支持部が中央下部側の１カ所にしか形成されていないので、ラベルを起立させた際の安定性を維持しにくいという問題がある。
【０００９】
さらに、特許文献４に示されるラベルにあっては、当該ラベルを貼付した状態で商品を箱詰めしてしまうと、ラベルが折れ曲がったり、或いは、変形してしまうおそれがある。そのため、ラベルの貼付は箱詰め時点において実施することができず、ラベルの貼付は商品を陳列する時点で行なわざるを得ない。また、ラベルは商品の側面に貼付されるので後方に陳列された商品はラベルが隠れてしまい、注目度が低下するという問題がある。
【００１０】
そこで、本発明は、かかる問題点に鑑みなされたもので、安定して起立させることが可能な起立手段を備えたラベルを提供することを目的とする。
【００１１】
また、商品に貼付した状態で梱包等が可能な起立手段を備えたラベルを提供することを目的とする。
【００１２】
さらに、飲料の頂部のキャップ上面等の狭い面積でも貼付することができる起立手段を備えたラベルを提供することを目的とする。
【課題を解決するための手段】
【００１３】
上記課題を解決するために請求項１に記載の発明は、文字やイラスト等が表示された表示部と、表示部と折り線を介して隣接する貼付部と、を備え、貼付部の片面側は粘着材が塗布された粘着部とされると共に、貼付部を少なくとも三つに区分するようにして貼付部の左右の両側面の所定箇所から折り線に至る長さの切込線がそれぞれ設けられ、切込線によって分離された貼付部の一部を折り線に沿って裏側へ折り曲げることによって表示部を起立させるための支持部を二箇所に形成したことを特徴とする起立手段を備えたラベルを提供する。
【００１４】
上記課題を解決するために請求項２に記載の本発明は、請求項１に記載の起立手段を備えたラベルにおいて、切込線は、貼付部の側縁部から幅方向に略三等分するような長さでＬ字形又は逆Ｌ字形に設けられていることを特徴とする。
【００１５】
上記課題を解決するために請求項３に記載の本発明は、請求項１又は２に記載の起立手段を備えたラベルにおいて、ラベルは、複数枚を台紙に剥離可能に貼着したことを特徴とする。
【００１６】
上記課題を解決するために請求項４に記載の本発明は、請求項１から３のいずれか１項に記載の起立手段を備えたラベルの表示部の頂部同士を連結することによって一体化したことを特徴とする。
【発明の効果】
【００１７】
本発明に係る起立手段を備えたラベルによれば、商品に貼付した際、安定して起立させることができると共に、商品に貼付した状態での梱包等が可能であり、且つ、飲料の頂部のキャップ上面等の狭い面積でも容易に貼付することができるという効果がある。
【図面の簡単な説明】
【００１８】
【図１】本発明に係る起立手段を備えたラベルの第一の実施形態を示す正面図である。
【図２】図１に示すラベルの背面図である。
【図３】本発明に係るラベルの提供時における状態示す平面図である。
【図４】（ａ）〜（ｃ）は本発明に係るラベルの使用方法を示す工程図である。
【図５】本発明に係る起立手段を備えたラベルの第二の実施形態を示す正面図である。
【図６】（ａ）は本発明に係る起立手段を備えたラベルの第三の実施形態を示す展開図、（ｂ）はその使用状態を示す斜視図である。
【発明を実施するための形態】
【００１９】
１．第一の実施形態
［ラベルの構成］
以下、本発明に係る起立手段を備えたラベルの好ましい一実施形態について図面を参照しながら詳細に説明する。図１は本発明に係る起立手段を備えたラベルの第一の実施形態を示す正面図、図２は図１に示すラベルの背面図である。起立手段を備えたラベル（以下、単に「ラベル」という。）１は、概略として、商品をアピールしたい語句（本実施形態では「目玉商品」の文字）１８ａやイラスト（本実施形態では「目玉」のイラスト）１８ｂ等を含む表示内容１０が印刷等によって表示されると共に、所定の形状（本実施形態では「矢印」の形状）に形成された表示部１１と、この表示部１１と折り線１４を介して隣接する貼付部１３を備えて形成されている。貼付部１３の片面側は粘着材が塗布された粘着部１６とされていると共に、貼付部１３の左右の両側面の所定箇所から折り線１４に至る長さの切込線１５がそれぞれ設けられており、切込線１５によって分離された貼付部１３の一部が表示部１１を起立させるための支持部１２とされている。すなわち、貼付部１３は切込線１５によって２つの支持部１２と貼付部１３の少なくとも三つに区分されている。そして、切込線１５に沿って貼付部１３の一部を切り離し、凸形となった貼付部１３の粘着部１６を商品の所定箇所に貼付し、２つの支持部１２を折り線１４に沿って後ろ側へ折り曲る（ラベル１の表側から見て山折り）ことにより、表示部１１は折り線１４に沿って約９０°起立させた状態に保持される。尚、表示内容１０の表記は、必要に応じて表示部１１の表面だけでなく、その裏面に設けることも可能である。
【００２０】
ラベル１を形成する材質としては、例えば、紙系、フィルム系、金属系があり、紙系の具体例としては上質紙、アート紙、和紙、ミラコート紙、ホイル紙、サーマル紙等があり、フィルム系の具体例としては透明ＰＥＴ（ポリエステル）、白ＰＥＴ、クリスパー、蒸着ＰＥＴ、塩ビ等があり、金属系の具体例としてはアルミニウム等がある。ラベル１を構成する表示部１１、支持部１２及び貼付部１３は１枚のシートから形成されている。そして、貼付部１３には一端が貼付部の側縁部の所定箇所に位置し、他端が折り線１４に当接したＬ字形及び逆Ｌ字形の２つの切込線１５が貼付部１３の幅方向の長さを略三等分するような長さで設けられている。そして、支持部１２と貼付部１３とは折り線１４及び切込線１５によって区分されている。尚、折り線１４はプレス等によって線状に設けることができるが、単に点線や実線等の印刷によって形成することもできる。また、切込線１５もＬ字形及び逆Ｌ字形に限らず直線状に形成することもできる。切込線１５を直線状とした場合には支持部１２は三角形状となる。このように、上記した支持部１２、貼付部１３、折り線１４及び切込線１５によって起立手段が形成される。
【００２１】
また、貼付部１３の裏面全体には粘着剤（あるいは接着剤）が塗布されており、この塗布面が粘着部１６となっている。粘着部１６に用いられる粘着剤は、大別すると、アクリル系（エマルジョン型、ソルベント型等）、エマルジョン型ゴム系（エマルジョン型、ソルベント型）、特殊粘着剤（シリコーン粘着剤等）等がある。さらに、粘着剤を機能面から分類すると、恒久的に貼付する用途向けの永久接着（強粘着）タイプ、一定期間後に剥がす用途向けの再剥離（弱粘着）タイプ、何度も貼付することが可能な再貼付タイプに分類することができ、いずれのタイプの粘着剤を選択することができる。尚、ラベル１の表面には、必要に応じて光沢・艶消し等をもたせる表面加工、具体的にはＰＰラミネート・ＰＥＴラミネート等を施してもよい。
【００２２】
図３はラベルの提供時における状態示す平面図である。ラベル１は、１枚単位に製造されるのではなく、図３に示すように、複数枚（本実施形態では５枚）が１枚の光沢面を有する台紙（セパレータともいう）１７上に横並びにして剥離可能に貼付されている。そして、商品にラベル１を貼付する際には、１枚ずつ台紙１７からラベル１を剥がし、これを商品の所望の位置（見やすい位置）に張り付ける。また、台紙１７は厚みに応じて二種類に標準化されており、薄手（２５μｍ）の「青色タイプ」と厚手（５０μｍ）の「黄色タイプ」とがある。
【００２３】
［ラベルの製造方法］
次に、ラベル１の製造方法について説明する。例えば、ラベル１の素材としてフィルム系を用いた場合、このフィルムの片面（正面）に図１に示したようなキャッチフレーズ及びイラストを印刷する。次いで、図１に示すような所定の形状に沿ってラベル１を裁断する。次いで、裁断した素材の裏面（表示内容１０が印刷されてない面）の全域に粘着剤を塗布する。次いで、支持部１２及び貼付部１３を除いた他の部分（図１に示す折り線１４より上側の部分）を糊殺し処理（透明インクを印刷して非粘着部分を作る処理）を実施する。最後に、押圧機によって切込線１５及び折り線１２をラベル１に付与して完成となる。このようにして製造されたラベル１は、その複数枚が上述したように図３に示す台紙１７に貼付された状態で提供されることになる。
【００２４】
［ラベルの使用方法］
次に、上述したラベル１の使用方法について説明する。図４は（ａ）〜（ｃ）はラベルの使用方法を示す工程図である。
まず、作業者は図３に示す台紙１７から任意のラベル１を引き剥がす。
次いで、作業者は切込線１５に沿って支持部１２と貼付部１３とを分離し、二つの支持部１２を貼付部１３から独立させ、図４（ａ）に示すように、二つの支持部１２を折り線１４に沿って後方（表示部１１の表示内容１０が表記されていない側）へ約９０°に折り曲げる。つまり、表示部１０に対して約９０°の山折りを行う。
次いで、図４（ａ）に示す状態のラベル１に対し、図４（ｂ）に示すように、貼付部１３を折り線１４に沿って前方へ約９０°に折り曲げる（表示部１０に対して約９０°の谷折りを行う）。これにより、角形の一対の支持部１２と凸形の貼付部１３とは互いに反対方向へ折り曲げられた状態になり、ラベル１は頂部１１０を上端にして起立した姿勢になる。そして、貼付部１３の凸形状の裏面が粘着面になり、そして一対の支持部１２の粘着面（裏面）は上側になる。尚、図４（ａ）と図４（ｂ）の作業手順を逆にしてもよい。
【００２５】
次に、ラベル１を貼付したい商品２０の一つを選択する。ここでは、商品２０として一般的な瓶型の例を示したが、他の形状、例えば箱型を成し又は角形の包装箱等に入れられたものであっても良い。そして、図４（ｂ）に示したラベル１を商品２０のキャップ２４の上面へ持ち運び、図４（ｃ）に示すようにラベル１の粘着部１６の凸形状の粘着面をキャップ２４の上面に貼付する。このとき、支持部１２の粘着面は上方を向くことになるので商品２０に固定されることはないが、表示部１１が後方へ倒れないようにしっかりと補助する働きをする。一方、支持部１２は商品２０とは接触しているのみなので支持部１２を元の状態に戻して表示部１１を寝かせることも容易にできる。尚、粘着部１６の凸形状の粘着面をキャップ２４の上面に貼付した後で支持部１２を後方に折り曲げることも可能であり、この場合、商品２０にラベル１を貼付した状態で商品２０を包装箱等に入れ、商品２０を売り場の棚に陳列する際に表示部１１を引き起こし、支持部１２を後方に位置させることにより簡単に表示部１１を起立させることができる。以上により、ラベル貼付作業が完了する。
【００２６】
［第一の実施形態の効果］
本実施形態に係る起立手段を備えたラベルによれば、支持部１２を表示部１１の中心に対して左右の２カ所に形成したので、表示部１１を安定して支持することができるという効果がある。これにより、商品の展示中にラベル１が斜めになったり倒れたりすることが少ないという効果がある。
【００２７】
また、本実施形態に係る起立手段を備えたラベルによれば、例えば、ペットボトル容器入り飲料のキャップ２４等の狭い場所であっても商品２０の上部貼付することが可能であり、これによってラベル１を消費者の目につき易くすることができるので、優れた広告効果が発揮されるという効果がある。
【００２８】
さらに、本実施形態に係る起立手段を備えたラベルによれば、予め商品２０の上面に予めラベル１を貼付しておくことができるので、販売店等において店頭に陳列する際にラベル１を起立させるだけでよく、店頭で商品にラベル１を貼付する作業が不要になり、販売店等における作業性が向上するという効果がある。
【００２９】
さらに、切込線１５をラベル１に設けることで起立手段を形成することができるため、ラベル１を簡単に製造することができると共に製品不良を低減できるという効果がある。
【００３０】
２．第二の実施形態
次に、本発明に係る起立手段を備えたラベルの第二の実施形態について説明する。図５は本発明に係る起立手段を備えたラベルの第二の実施形態を示す正面図である。本実施形態は第一の実施形態において、表示部１１を円形にし、その表示内容１０の語句１８ａを「増量中」に代え、またイラスト１８ｂを除去し、さらに粘着部１６の形状を半円状にしたものである。尚、表示部１１は商品２０の形状や利用者層等に合わせた形状、さらに草花、乗り物、動物、魚介類、昆虫等をデザインしたものであってもよい。また、貼付部１３はＵ字形等であってもよい。
【００３１】
このように、本発明に係るラベル１は、支持部１２及び貼付部１３を有し、これらを分割できさえすれば、ラベル１の外形等に特に制約は無く、表示部１１を商品上に起立させることができる。
【００３２】
３．第三の実施形態
次に、本発明に係る起立手段を備えたラベルの第三の実施形態について説明する。図６（ａ）は本発明に係る起立手段を備えたラベルの第三の実施形態を示す展開図、図６（ｂ）はその使用状態を示す斜視図である。本実施形態は第一の実施形態において、商品に貼付した際に立体的に見えるように、図１に示したラベル１を図６（ａ）に示すようにそれぞれの頂部１１０を連結してラベル２を構成したものである。すなわち、ラベル２は、商品２０に貼付する際、図６（ｂ）に示すように、アーチ状、若しくは、二つ折り状等にされ、二つの貼付部１３の粘着部１６によって商品２０に粘着固定され、且つ、四つの支持部１２によって支持される。従って、ラベル２は、第一の実施形態に比べてより立体的に見せることができる。また、顧客に対して両側から表示内容１０を同時に見せることができるという効果がある。
【００３３】
尚、第三の実施形態においては、２つのラベル１を連結した図６の構成のほか、図１に示した２枚のラベル１の上端を透明テープ等で貼り合わせ、或いは、接着剤で上端を線状に接着することによってもラベル２を形成することができる。さらに、図６（ａ）（ｂ）に示した２枚のラベル１は同一形状である必要は無く、互いに異なる形状やデザインであってもよい。
【００３４】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【００３５】
例えば、上記各実施形態において貼付部１３は凸形状や半円形状としたが、角形や貼付面の形状に合致させた形状等であってもよい。
【００３６】
また、切込線１５の形状はＬ字形と逆Ｌ字形の組み合わせにしたが、表示部１１の後方を２箇所で安定に支持できさえすれば、これに限るものではなく、どのような形状であってもよい。
【００３７】
また、表示部１１のイラスト８ｂの目玉部分等にＬＥＤ等の発光体を取り付け、その点灯や点滅により消費者に存在を気づかせようにする構成も可能である。また、ラベル１，２の表示部１１や露出部分に夜光塗料を塗っておけば、展示場所がやや暗いときでも消費者にラベル１，２及び商品２０の存在を認知させることができる。
【００３８】
また、光を反射し易い金属粉末等をラベル１，２の表面に塗布しておくことにより、みる角度に応じた反射光を生じさせことができ、これによって商品２０の近くを通る人の注意を更に引くようにすることができる。また、ラベル１，２に芳香剤を染み込ませておいたり、芳香剤入りの袋を添付しておくことによっても、商品２０の近くを通る人の注意をさらに引くようにすることができる。
【００３９】
また、ラベル１，２は支持部１２及び貼付部１３によって商品に強固に固定されているので、風で動く回転体や揺動体、例えば、風車を取り付け、或いは風でなびくテープ等を取り付けることも可能である。これによって消費者にラベル１，２及び商品２０の存在を認知させることができる。
【産業上の利用可能性】
【００４０】
以上のように、好ましい各実施形態について説明したが、本発明に係る起立手段を備えたラベルは、日用雑貨等の商品以外の物品にも採用可能である。例えば、注意標識、案内標識等として利用することができる。
【符号の説明】
【００４１】
１，２  ラベル
１０    表示内容
１１    表示部
１２    支持部
１３    貼付部
１４    折り線
１５    切込線
１６    粘着部
１７    台紙
１８ａ  語句
１８ｂ  イラスト
２０    商品
２１    容器
２２    胴部
２３    首部
２４    キャップ
１１０  頂部
【図１】
0005837786.tif 000002
【図２】
0005837786.tif 000003
【図３】
0005837786.tif 000004
【図４】
0005837786.tif 000005
【図５】
0005837786.tif 000006
【図６】
0005837786.tif 000007